(57)【要約】【課題】レゾルバにおいて、外部ノイズの影響をさらに効果的に抑制することである。【解決手段】レゾルバは、レゾルバロータと、レゾルバロータの外周側に配置される円環状のレゾルバコア１２と、レゾルバコア１２の内周側に沿って配置されるレゾルバコイル１４と、レゾルバコイル１４とレゾルバコア１２との間を絶縁するレゾルバインシュレータ１６と、レゾルバコア１２の外周側の全周に渡って所定の空隙２４を空けて配置され、レゾルバインシュレータ１６を介してレゾルバコア１２と一体化される外部取付部材２０とを備える。【選択図】図１
2015119523.tif 000002
【特許請求の範囲】
【請求項１】
レゾルバロータの外周側に配置される円環状のレゾルバコアと、
レゾルバコアの内周側に沿って配置されるレゾルバコイルと、
レゾルバコイルとレゾルバコアとの間を絶縁するレゾルバインシュレータと、
レゾルバコアの外周側の全周に渡って所定の空隙を空けて配置され、レゾルバインシュレータを介してレゾルバコアと一体化される外部取付部材と、
を備えることを特徴とするレゾルバ。
【請求項２】
請求項１に記載のレゾルバにおいて、
外部取付部材は、非磁性体板材で構成されることを特徴とするレゾルバ。
【請求項３】
請求項１に記載のレゾルバにおいて、
外部取付部材は、磁性体材料で構成され、
所定の空隙の大きさは、レゾルバコイルから出力される信号に対するレゾルバコイルが受ける外部ノイズとの比であるＳ／Ｎ比に基づいて設定されることを特徴とするレゾルバ。
【発明の詳細な説明】
【技術分野】
【０００１】
本発明は、レゾルバに関する。
【背景技術】
【０００２】
回転電機におけるロータの回転位置を検出するためにレゾルバが用いられる。レゾルバは、回転電機のロータ軸にレゾルバロータを取り付け、レゾルバコイルが巻回されたレゾルバステータをレゾルバロータの外周側に配置した構造を有する。ここで、レゾルバコイルとして、励磁信号が供給される励磁コイル、互いに９０度位相が異なる検出信号をそれぞれ出力する２つの検出コイルを用い、励磁信号と２つの検出信号とに基づいて、レゾルバロータの回転位置、すなわち回転電機のロータの回転位置を求める。
【０００３】
特許文献１には、レゾルバに外部から入ってくるモータやインバータ等からのノイズの影響を抑制するために、レゾルバステータの外周側のプレート部分において周方向に沿って複数の内側空隙と外側空隙とを設ける構造が開示される。これにより、外部から侵入した磁気に起因するノイズは、内側空隙および外側空隙の外側を迂回し、大部分が内側空隙および外側空隙で遮断されると述べられている。
【先行技術文献】
【特許文献】
【０００４】
【特許文献１】特開２００６−０６４４０９号公報
【発明の概要】
【発明が解決しようとする課題】
【０００５】
引用文献１の構造では、外部から侵入した磁気に起因するノイズの大部分が内側空隙および外側空隙で遮断されるが、内側空隙および外側空隙の外側を迂回するノイズがあり、外部ノイズの影響の抑制が十分でないことがある。
【０００６】
本発明の目的は、外部ノイズの影響をさらに効果的に抑制できるレゾルバを提供することである。
【課題を解決するための手段】
【０００７】
本発明に係るレゾルバは、レゾルバロータの外周側に配置される円環状のレゾルバコアと、レゾルバコアの内周側に沿って配置されるレゾルバコイルと、レゾルバコイルとレゾルバコアとの間を絶縁するレゾルバインシュレータと、レゾルバコアの外周側の全周に渡って所定の空隙を空けて配置され、レゾルバインシュレータを介してレゾルバコアと一体化される外部取付部材と、を備えることを特徴とする。
【０００８】
本発明に係るレゾルバにおいて、外部取付部材は、非磁性体板材で構成されることが好ましい。
【０００９】
また、本発明に係るレゾルバにおいて、外部取付部材は、磁性体材料で構成され、所定の空隙の大きさは、レゾルバコイルから出力される信号に対するレゾルバコイルが受ける外部ノイズとの比であるＳ／Ｎ比に基づいて設定されることが好ましい。
【発明の効果】
【００１０】
上記構成によれば、本発明に係るレゾルバは、レゾルバコイルが配置されるレゾルバコアの外周側の全周に渡って所定の空隙を空けて外部取付部材が配置される。したがって、外部取付部材から侵入する外部ノイズが所定の空隙で遮断されレゾルバコイルに到達するのを効果的に防止する。これによって、従来技術に比べ、外部ノイズの影響をさらに効果的に抑制できる。
【００１１】
また、本発明に係るレゾルバは、レゾルバコアと外部取付部材が別体であるので、外部取付部材の材料選択の自由度が高い。そこで、外部取付部材を非磁性材料で構成することで、外部ノイズが外部取付部材経由でレゾルバコイルに到達することを防ぐことができる。
【００１２】
また、本発明に係るレゾルバにおいて、外部取付部材の材質をレゾルバコアと同じ磁性材料とするときは、所定の空隙の大きさを外部ノイズについてのＳ／Ｎ比に基づいて設定するので、所定の空隙の大きさを適切に設定することで、レゾルバにおいて十分なＳ／Ｎ比を得ることができる。
【図面の簡単な説明】
【００１３】
【図１】本発明に係る実施の形態のレゾルバの構成図である。
【図２】図１のレゾルバの分解図である。
【図３】本発明に係る実施の形態のレゾルバにおいて、レゾルバコアと外部取付部材との間に設けられる所定の空隙を示す図である。
【図４】本発明に係る実施の形態のレゾルバにおいて、レゾルバコアと外部取付部材との間に設けられる空隙の大きさと外部ノイズによる外乱誤差の関係を示す図である。
【発明を実施するための形態】
【００１４】
以下に図面を用いて本発明に係る実施の形態につき詳細に説明する。以下では、ハイブリッド車両駆動装置におけるモータジェネレータの回転位置を検出するレゾルバを述べるが、これ以外の用途に用いられる回転電機の回転位置を検出するレゾルバであっても構わない。また、レゾルバとして、バリアブルリラクタンス型レゾルバを述べるが、これは説明のための例示であって、レゾルバコイルが配置されるレゾルバコアと、レゾルバコアに一体化された外部取付部材を有するものであれば、それ以外の形式のレゾルバであってもよい。例えば磁石磁界変化検出型レゾルバであってもよい。
【００１５】
以下に述べる寸法、形状、材質等は、説明のための例示であって、レゾルバの仕様等により、適宜変更が可能である。また、以下では、全ての図面において同様の要素には同一の符号を付し、重複する説明を省略する。
【００１６】
図１は、ハイブリッド車両駆動装置におけるモータジェネレータの回転位置を検出するレゾルバ１０の構成図である。レゾルバ１０は、レゾルバロータとレゾルバステータとの組み合わせで構成されるが、レゾルバロータは、モータジェネレータのロータ軸に取り付けられるものであるので、図１ではその図示を省略した。したがって、図１は、実質的にレゾルバステータの構成図である。図２は、図１の各要素を分解した分解図である。
【００１７】
図１、図２において、レゾルバ１０は、図示されていないレゾルバロータの外周側に所定の間隔を空けて配置されるレゾルバコア１２と、レゾルバコア１２に巻回されるレゾルバコイル１４と、レゾルバコイル１４とレゾルバコア１２との間を絶縁するレゾルバインシュレータ１６と、レゾルバコア１２の外周側の全周に渡って所定の空隙２４を空けて配置されレゾルバインシュレータ１６を介してレゾルバコア１２と一体化される外部取付部材２０を含んで構成される。
【００１８】
レゾルバ１０は、次のような手順で形成される。すなわち、図２に示すように複数の分割コア１３を準備し、これを樹脂モールド等で一体化して円環状のレゾルバコア１２にする。別途、外部取付部材２０とターミナル１９を準備する。そして、レゾルバコア１２と外部取付部材２０とターミナル１９を図１で示す配置関係で組み立て、これらを樹脂モールドで一体化する。モールドされた樹脂部がレゾルバインシュレータ１６となる。その後、円環状のレゾルバコア１２にレゾルバコイル１４を巻回して、レゾルバ１０を得る。
【００１９】
レゾルバコア１２は、複数の分割コア１３を組み合わせると円環状になるように形成された磁性体部材である。図１，２の例では、１０個の分割コア１３でレゾルバコア１２が構成される。１０個の分割コア１３を組み合わせて一体化されたときのレゾルバコア１２は、内周に沿って設けられる複数のティースと、隣接するティースの間の貫通空間である複数のスロットを有する。分割コア１３は、一体化されたときのレゾルバコア１２の各ティースを２分割するようにして、それぞれ形成される。すなわち、分割コア１３は、１つのスロットの周方向両側にそれぞれ半分に分割されたティース部を有する略Ｃ字形磁性体部品である。かかる分割コア１３は、所定の分割形状に成形された磁性体薄板を複数積層して得られる。得られた分割コア１３を円環状に組み合わせ、樹脂モールド等で一体化して、レゾルバコア１２が得られる。これに代えて、複数のティースと複数のスロットを含む所定の形状に成形された円環状の磁性体薄板を複数積層したものを所定の分割数で分割し、複数の分割コア１３としてもよい。磁性体薄板としては、電磁鋼板を用いることができる。磁性体薄板の積層体に代えて、磁性粉末を分割コア１３の形状に成形したものを用いることもできる。
【００２０】
外部取付部材２０は、レゾルバインシュレータ１６を介してレゾルバコア１２と一体化される。すなわち、レゾルバ１０の状態では、レゾルバコア１２と、外部取付部材２０とがレゾルバインシュレータ１６を介して一体化されている。外部取付部材２０は、一体化されたレゾルバ１０を、モータジェネレータのモータケース等に取り付けるための取付部２２を有する。
【００２１】
外部取付部材２０は、従来技術の特許文献１におけるレゾルバコアのプレート部分に対応する部材であるが、ここでは、レゾルバコア１２と別体で、レゾルバコア１２の外周側の全周に渡って所定の空隙２４を空けて配置される円環状の部材である。
【００２２】
ターミナル１９は、レゾルバコイル１４と外部のレゾルバ信号処理回路とを接続するための端子台である。ターミナル１９は、レゾルバコイル１４から引き出される励磁コイルの２端子と、２つの検出コイルのそれぞれから引き出される合計４端子を接続する６つのコイル接続ピン１７と、６つの接続ピン１７から引き出される６つの外部接続端子１８を有する。かかるターミナル１９としては、所定の形状に曲げ成形された６本の金属端子線を樹脂モールドし、一方側に６本の金属端子線のそれぞれの一方側先端部を突き出してコイル接続ピン１７とし、他方側に６本の金属端子線のそれぞれの他方側先端部を突き出して外部接続１８としたものを用いることができる。
【００２３】
レゾルバインシュレータ１６は、レゾルバコア１２と外部取付部材２０とターミナル１９を樹脂モールドで一体化したときの樹脂部である。レゾルバインシュレータ１６は、レゾルバコア１２と外部取付部材２０との間を絶縁するために略円環状の形状を有する。
【００２４】
かかるレゾルバインシュレータ１６は、耐薬品性、耐高温性、耐高湿性等を有する樹脂を用いて所定の形状に成形したものを用いることができる。樹脂としては、エポキシ樹脂、ポリイミド樹脂、芳香族ナイロン樹脂コンパウンド等を用いることができる。
【００２５】
レゾルバコイル１４は、励磁コイルと２つの検出コイルを所定のレゾルバ巻回方法でレゾルバコア１２に巻回した巻線コイルである。レゾルバコイル１４は、レゾルバコア１２の各ティースに、絶縁皮膜付き導線を所定の巻数で巻回される。レゾルバ１０となったときには、レゾルバコア１２の各ティースに巻回された部分が円環状のボビンの形状になる。図２の分解図では、レゾルバコイル１４を模式的に１０個のボビン１５で示した。
【００２６】
かかるレゾルバコイル１４に用いられる絶縁皮膜付き導線としては、素線として銅線、銅錫合金線、銀メッキ銅錫合金線等を用いることができ、絶縁皮膜としては、ポリアミドイミドのエナメル皮膜が用いられる。これに代えて、ポリエステルイミド、ポリイミド、ポリエステル、ホルマール等を用いることができる。
【００２７】
図３は、レゾルバコア１２と外部取付部材２０との間に設けられる所定の空隙２４を示す図である。（ａ）は、レゾルバ１０において、レゾルバコア１２と外部取付部材２０を抜き出した斜視図で、（ｂ）は、その一部を拡大した上面図である。所定の空隙２４は、レゾルバコア１２の外周側面と、外部取付部材２０の内周側面との間に、空隙の大きさＣとして設けられる。空隙の大きさＣは、レゾルバコア１２の外周側面と、外部取付部材２０の内周側面との間おける最短距離で示される。
【００２８】
外部取付部材２０は、レゾルバ１０において外側に張り出す部材であるので、外部のモータやインバータ等からの磁気ノイズに曝されることが多い。外部取付部材２０が磁性体であると、この磁気ノイズは、磁性体を伝わってレゾルバコア１２へ向かう。所定の空隙２４は、この外部取付部材２０側からの磁気ノイズ伝達を遮断する機能を有する。所定の空隙２４の空隙の大きさＣが大きいほど、磁気ノイズを遮断する能力が大きい。
【００２９】
図４は、外部取付部材２０の材質がレゾルバコア１２と同じ磁性体であるときの外部ノイズ遮断の能力と空隙の大きさＣとの関係を実験的に求めた結果である。図４の横軸は、空隙の大きさＣで、縦軸は、外乱誤差である。外乱誤差とは、レゾルバコイル１４の出力信号が磁気ノイズの影響を受けて生じる誤差で、レゾルバコイル１４から出力される信号に対するレゾルバコイル１４が受ける外部ノイズとの比をＳ／Ｎ比として、｛１−（Ｓ／Ｎ）｝に相当する値である。例えば、レゾルバコイル１４の出力電圧波形の歪みを測定することで、外乱誤差の大きさを評価できる。
【００３０】
図４に示されるように空隙の大きさＣが大きくなるに従って、外乱誤差は低下する。特に、空隙の大きさＣが小さい範囲で、その低下は急激に生じ、ある程度の空隙の大きさ以上ではその低下の程度は緩やかになる。図４の例では空隙の大きさＣ0以上では、外乱誤差の低下は緩やかになる。このことから、所定の空隙２４は、空隙の大きさをＣ0以上に設定することがよい。
【００３１】
上記では、外部取付部材２０の材質がレゾルバコア１２と同じ磁性体であるとしたが、レゾルバコア１２と外部取付部材２０は別体で構成され、互いに分離しているので、外部取付部材２０の材質の選択に自由度がある。すなわち、適当な強度がある材料を用いて、所定の形状に成形したものを外部取付部材２０として用いることができる。例えば、材料として、アルミニウム等の非磁性体の金属を用いることができ、あるいは、樹脂を用いることができる。
【００３２】
非磁性体の材料で外部取付部材２０を構成することで、外部ノイズが外部取付部材２０経由でレゾルバコイル１４に到達することを防ぐことができる。この場合には、所定の空隙２４の空隙の大きさの設定を気にしなくてもよい。また、レゾルバ１０におけるセンサ部分はレゾルバコア１２のみとなり、外部取付部材２０を含まないので、レゾルバコア１２と外部取付部材２０を同一材料で一体として製造する場合に比べ、センサとしての歩留まりが向上し、コスト低減が可能になる。
【符号の説明】
【００３３】
１０  レゾルバ、１２  レゾルバコア、１３  分割コア、１４  レゾルバコイル、１５  ボビン、１６  レゾルバインシュレータ、１７  コイル接続ピン、１８  外部接続ピン  １９  ターミナル、２０  外部取付部材、２２  取付部、２４  所定の空隙。
【図１】
2015119523.tif 000003
【図２】
2015119523.tif 000004
【図３】
2015119523.tif 000005
【図４】
2015119523.tif 000006